(57)【要約】【課題】手前の商品が取り出されたら、奥の商品が前に自動的に前方に移動する商品陳列台に関して、広告面をできる限り広く確保することができる商品陳列台を提供することを目的とする。【解決手段】商品陳列台１０は、商品広告を表示する前面部１と、前面部１に設けられた開口部２と、前面部１の背面から開口部２に向けて傾斜した商品陳列部３とを備える。開口部２から商品が取り出せる。商品陳列部３は、商品７と接触する面において突出した一以上のレール部５を含む。商品陳列部３は、最前面の商品を止めるストッパーを含む。【選択図】図８
2013248143.tif 000002
【特許請求の範囲】
【請求項１】
商品広告を表示する前面部と、
前記前面部に設けられた開口部と、
前記前面部の背面から前記開口部に向けて傾斜した商品陳列部とを備え、
前記開口部から商品が取り出せることを特徴とする、商品陳列台。
【請求項２】
前記商品陳列部は、商品と接触する面において突出した一以上のレール部を含むことを特徴とする、請求項１に記載の商品陳列台。
【請求項３】
前記商品陳列部は、最前面の商品を止めるストッパーを含むことを特徴とする、請求項１又は２に記載の商品陳列台。
【請求項４】
前記前面部は、後方に傾斜しており、
前記ストッパーは、前方に傾斜しており、
前記開口部と前記ストッパーとによってできた間隙から、前記商品が取り出せることを特徴とする、請求項３に記載の商品陳列台。
【請求項５】
前記商品は、箱状であることを特徴とする、請求項１〜４のいずれかに記載の商品陳列台。
【請求項６】
商品広告を表示する前面部と、
前記前面部に設けられた開口部と、
前記前面部の背面から前記開口部に向けて設けられた商品陳列部と、
前記商品陳列部に陳列された商品を前方に押し出すプッシャーとを備え、
前記開口部から商品が取り出せることを特徴とする、商品陳列台。
【発明の詳細な説明】
【技術分野】
【０００１】
本発明は、商品の陳列台に関する。
【背景技術】
【０００２】
箱状の容器に包装された商品を店舗内に陳列する方法として、特許文献１に記載の包装箱のように、広告面を包装箱に印刷しつつ個々の商品を陳列する方法が一般的に知られている。包装箱に限らず、専用の陳列什器を紙やアクリル板等で形成して、商品を陳列する方法も一般的によく行われている。このような従来の陳列方法は、商品を陳列什器に前後に並べるのが一般的である。しかし、通常、商品は、手前から取られることが多い。そのため、商品を前後に並べる場合、手前側にスペースが空いてしまうこととなる。そのため、陳列什器の奥の方の商品は、店員が手前に再配置することとなる。
【０００３】
店員による再配置の手間を省くために、特許文献２に記載のように、商品陳列トレーにつる巻バネで形成された商品プッシャーを設け、手前の商品が取り出されると、奥の方から商品が押され、常に、手前に商品が陳列されるといった陳列什器が提案されている。このような陳列什器は、箱状の商品でよく利用されており、特に、たばこの陳列に利用されている。
【０００４】
缶の陳列に関しては、特許文献３のように、商品載置部を傾斜させて、商品の自重で奥の商品が手前に移動するといった発明が提案されている。また、特許文献４のように、商品載置部をローラ上に形成して、缶が前方に移動しやすいように構成した発明も提案されている。さらに、特許文献５のように、傾斜した商品載置部に二本のガイドレールを設け、当該ガイドレールに沿うように、商品底部に凹部を形成し、常に商品の前面が買い手に見やすくなるようにした発明も提案されている。
【先行技術文献】
【特許文献】
【０００５】
【特許文献１】特開２００５−３０６４０１号公報
【特許文献２】特開２００８−１８８３８７号公報
【特許文献３】特開２００６−２３９１３７号公報
【特許文献４】特開２００５−２７０４１９号公報
【特許文献５】特開２００９−２８５０４６号公報
【発明の概要】
【発明が解決しようとする課題】
【０００６】
特許文献１の発明では、広告面はある程度確保されるものの商品で隠れている箇所は、広告面として使えず、しかも、商品が減ってくると、無地の紙部分がむき出しとなり、デザイン面で問題がある。特許文献２〜５の発明では、商品は手前に自動的に移動するものの、広告面を広く確保する方法については提案していない。
【０００７】
それゆえ、本発明は、手前の商品が取り出されたら、奥の商品が自動的に前方に移動する商品陳列台に関して、広告面をできる限り広く確保することができる商品陳列台を提供することを目的とする。
【課題を解決するための手段】
【０００８】
上記課題を解決するために、本発明は、以下のような特徴を有する。本発明は、商品広告を表示する前面部と、前面部に設けられた開口部と、前面部の背面から開口部に向けて傾斜した商品陳列部とを備え、開口部から商品が取り出せることを特徴とする。商品陳列部は、商品と接触する面において突出した一以上のレール部を含むことを特徴とする。商品陳列部は、最前面の商品を止めるストッパーを含むことを特徴とする。前面部は、後方に傾斜しており、ストッパーは、前方に傾斜しており、開口部とストッパーとによってできた間隙から、商品が取り出せることを特徴とする。商品は、箱状であることを特徴とする。
【０００９】
また、本発明は、商品広告を表示する前面部と、前面部に設けられた開口部と、前面部の背面から開口部に向けて設けられた商品陳列部と、商品陳列部に陳列された商品を前方に押し出すプッシャーとを備える構成でもよい。
【発明の効果】
【００１０】
本発明によれば、手前から商品を取り出すことができ、手前の商品が取り出されたら、奥の商品が前に自動的に前方に移動する商品陳列台を提供することができる。そして、前面部に開口部を設けて、商品は、前面部の背後に陳列しておくため、前面部をできる限り大きくして広告面を設けることができる。広告面の後ろに商品を配置して、商品が取り出されたら、自動的に商品が再陳列され前面に出てくるという構成によって、できる限り広告面を広く確保することが可能となる。一以上のレール部を設けることによって、商品の滑りがよくなり、再配置しやすくなる。ストッパー部を設けることによって、商品を前面で止めることができる。ストッパー部を透明にすれば、商品自体を買い手がよく確認できる。前面部は、後方に傾斜、ストッパー部は、前方に傾斜させることによって、開口部を広く確保でき、商品が取りやすくなる。
【００１１】
本発明のこれら、及び他の目的、特徴、局面、効果は、添付図面と照合して、以下の詳細な説明から一層明らかになるであろう。
【図面の簡単な説明】
【００１２】
【図１】本発明の一実施形態に係る商品陳列台１０の平面図である。
【図２】本発明の一実施形態に係る商品陳列台１０の正面図である。
【図３】本発明の一実施形態に係る商品陳列台１０の右側面図である。左側面図は、右側面図と対称に表れる。
【図４】本発明の一実施形態に係る商品陳列台１０の背面図である。
【図５】本発明の一実施形態に係る商品陳列台１０の底面図である。
【図６】本発明の一実施形態に係る商品陳列台１０のＡ−Ａ線断面図である。
【図７】本発明の一実施形態に係る商品陳列台１０のＢ−Ｂ線上Ｃ−Ｄ部分拡大端面図である。
【図８】本発明の一実施形態に係る商品陳列台１０の使用方法を説明するための断面図である。
【図９】本発明の実施例１の設計図である。
【図１０】本発明の実施例２の設計図である。
【発明を実施するための形態】
【００１３】
以下、図面を参照しながら、本発明の一実施形態について説明する。商品陳列台１０は、前面部１と、開口部２と、商品陳列部３と、支持部６とを備える。商品陳列部３は、間仕切り部３ａと、底面部３ｂと、ストッパー４と、レール部５とを含む。
【００１４】
前面部１には、正面に、商品広告が表示される。前面部１に表示される広告は、印刷によって表示されていてもよいし、シールの貼り付けによって表示されてもよいし、液晶画面等の表示装置によって表示されてもよい。前面部には、開口部２が設けられている。前面部の背面から開口部に向けて傾斜した商品陳列部３が開口部２に取り付けられている。ここでは、三つの商品陳列部３を例示したが、数やサイズは限定されない。また、前面部１や開口部２の大きさも、特に限定されるものではない。前面部１は、支持部６によって支えられている。商品陳列台１０は、商品陳列棚等に載置することができる。
【００１５】
商品陳列部３は、底面部３ｂ、支持部６、及び間仕切り部３ａによって、箱状の商品７を前後に並べて陳列するスペースを確保している。底面部３ｂにおいて、商品７と接触する面は、図７に示すように、レール部５によって、三角柱状に突出している。これにより、商品７と底面部３ｂとの摩擦を軽減することができる。そのため、図８に示すように、商品７を開口部から取り出した際、後方の商品が滑って、前方に自動的に再配置されることとなる。なお、レール部５の突出形状は、半円柱状等、商品７が前方に移動できるのであれば、如何なる形状であってよい。また、レール部５は、少なくとも一つあれば、摩擦軽減の効果を発揮するので、二本である必要はない。当然、レール部５は、三本以上であってもよい。再配置された商品７は、ストッパー４で止まることとなる。なお、レール部５を設けなくても、商品７が再配置されるように、滑っていくのであれば再配置が可能であるので、レール部５は必須ではない。たとえば、底部３ｂの表面に摩擦力の小さいテープや樹脂等を貼り付けたりすることによっても、商品７の再配置は可能である。
【００１６】
図６に示すように、前面部１は、後方に傾斜している。また、ストッパー４は、前方に傾斜している。これにより、開口部２とストッパー４との間にできた間隙から商品７を取り出すことができる。なお、前面部１は、垂直に立脚していても、商品７を取り出すことができる。なお、本実施形態では、ストッパー部４は、板状部材としているが、棒状部材やピン状部材など、形状は限定されない。ストッパー部４は、透明であるとよいが、これに限られない。また、ストッパー部４は、底面部３ｂの表面に設けられた摩擦力の高い粘着部材や素材であってもよい。そのため、前面部１の後方への傾斜及びストッパー４の前方への傾斜は、本発明において必須ではない。
【００１７】
以上、本実施形態によれば、手前から商品を取り出すことができ、手前の商品が取り出されたら、奥の商品が前に自動的に前方に移動する商品陳列台を提供することができる。そして、前面部１に開口部２を設けて、商品は、前面部の背後に陳列しておくため、前面部１をできる限り大きくして広告面を設けることができる。広告面の後ろに商品を配置して、商品が取り出されたら、自動的に商品が際陳列され前面に出てくるという構成によって、できる限り広告面を広く確保することが可能となる。
【００１８】
なお、本発明においても、レール部５の代わりに、バネによるプッシャーによって、商品を前に押し出すようにしてもよい。バネによるプッシャーの例としては、つる巻バネを商品陳列部３の後方に設け、最後尾の商品７に対して、常に押し出す力を加える構成を採用できる。この場合、商品陳列部３は傾斜していなくてもよい。すなわち、商品陳列台は、商品広告を表示する前面部と、前面部に設けられた開口部と、前面部の背面から開口部に向けて設けられた商品陳列部と、商品陳列部に陳列された商品を前方に押し出すプッシャーとを備えてもよい。この場合も、開口部から商品が取り出せることとなる。
【実施例】
【００１９】
カラーコンタクトレンズを包装するための包装容器として、紙製の箱状容器が用いられることが多い。図９は、７９ｍｍ×１５ｍｍ×５６ｍｍの紙製容器に入った商品を陳列するための商品陳列台の実施例１を示す。図１０は、４３ｍｍ×２８ｍｍ×７０ｍｍの紙製容器に入った商品を陳列するための商品陳列台の実施例２を示す。なお、図１０に関して、背面図及び底面図は、図４及び図５の寸法違いによって表現可能であり、当業者にとって自明である。実施例１及び２によって、広告面を広く確保できたことが確認された。
【００２０】
以上、本発明を詳細に説明してきたが、前述の説明はあらゆる点において本発明の例示にすぎず、その範囲を限定しようとするものではない。本発明の範囲を逸脱することなく種々の改良や変形を行うことができることは言うまでもない。
【産業上の利用可能性】
【００２１】
本発明は、商品陳列台に関し、産業上利用可能である。
【符号の説明】
【００２２】
１０  商品陳列台
１  前面部
２  開口部
３  商品陳列部
３ａ  間仕切り部
３ｂ  底面部
４  ストッパー
５  レール部
６  支持部
７  商品
【図１】
2013248143.tif 000003
【図２】
2013248143.tif 000004
【図３】
2013248143.tif 000005
【図４】
2013248143.tif 000006
【図５】
2013248143.tif 000007
【図６】
2013248143.tif 000008
【図７】
2013248143.tif 000009
【図８】
2013248143.tif 000010
【図９】
2013248143.tif 000011
【図１０】
2013248143.tif 000012